Podtech/llm-jp-corpus-v4-ja_patent huggingface dataset:
【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
被検体において癌を治療するため、及び被検体において癌ワクチンの有効性を高めるための、２種の組成物である薬剤の組み合わせであって、
ａ）該被検体において免疫システム応答を誘導することができる免疫応答誘発性の癌ワクチンを含む第１の組成物と、
ｂ）該被検体において該システム応答を高める、ワクチンの有効性を高める量のαサイモシンペプチドを含む第２の組成物とを含み、
該組成物を別々に又は同時に投与することができる、薬剤の組み合わせ。
【請求項２】
被検体において癌を治療するため、及び被検体において癌ワクチンの有効性を高めるための、医薬組成物であって、
ａ）該被検体において免疫システム応答を誘導することができる免疫応答誘発性の癌ワクチンと、
ｂ）該被検体において該システム応答を高める、ワクチンの有効性を高める量のαサイモシンペプチドとを含む、医薬組成物。
【請求項３】
前記被検体がヒトであり、前記癌ワクチンが樹状細胞ワクチンである、請求項１に記載の薬剤の組み合わせ。
【請求項４】
前記癌ワクチンが約１×１０−９ｇ〜約１×１０−３ｇの量であり、前記αサイモシンペプチドが約０．１〜２０ｍｇの量である、請求項１に記載の薬剤の組み合わせ。
【請求項５】
前記癌ワクチンが約１×１０−８ｇ〜約１×１０−４ｇの量であり、前記αサイモシンペプチドが約０．５〜１０ｍｇの量である、請求項１に記載の薬剤の組み合わせ。
【請求項６】
前記αサイモシンペプチドがＴＡ１であり、該ＴＡ１の量が約１．６〜３．２ｍｇである、請求項４に記載の薬剤の組み合わせ。
【請求項７】
前記癌が乳癌である、請求項１に記載の薬剤の組み合わせ。
【請求項８】
前記癌が、原発性黒色腫、転移性悪性黒色腫、腺癌、扁平上皮細胞癌、腺扁平上皮細胞癌、胸腺腫、リンパ腫、肉腫、肺癌、肝臓癌、非ホジキンリンパ腫、ホジキンリンパ腫、白血病、子宮癌、前立腺癌、卵巣癌、膵臓癌、結腸癌、多発性骨髄腫、神経芽細胞腫、ＮＰＣ、膀胱癌、子宮頸癌、腎臓癌、脳腫瘍、骨肉腫、子宮癌、胃癌、及び直腸癌から成る群から選択される、請求項１に記載の薬剤の組み合わせ。
【請求項９】
前記被検体がヒトであり、前記癌ワクチンが樹状細胞ワクチンである、請求項２に記載の医薬組成物。
【請求項１０】
前記癌ワクチンが約１×１０−９ｇ〜約１×１０−３ｇの量であり、前記αサイモシンペプチドが約０．１〜２０ｍｇの量である、請求項２に記載の医薬組成物。
【請求項１１】
前記癌ワクチンが約１×１０−８ｇ〜約１×１０−４ｇの量であり、前記αサイモシンペプチドが約０．５〜１０ｍｇの量である、請求項２に記載の医薬組成物。
【請求項１２】
前記αサイモシンペプチドがＴＡ１であり、該ＴＡ１の量が約１．６〜３．２ｍｇである、請求項１１に記載の医薬組成物。
【請求項１３】
前記癌が乳癌である、請求項２に記載の医薬組成物。
【請求項１４】
前記癌が、原発性黒色腫、転移性悪性黒色腫、腺癌、扁平上皮細胞癌、腺扁平上皮細胞癌、胸腺腫、リンパ腫、肉腫、肺癌、肝臓癌、非ホジキンリンパ腫、ホジキンリンパ腫、白血病、子宮癌、前立腺癌、卵巣癌、膵臓癌、結腸癌、多発性骨髄腫、神経芽細胞腫、ＮＰＣ、膀胱癌、子宮頸癌、腎臓癌、脳腫瘍、骨肉腫、子宮癌、胃癌、及び直腸癌から成る群から選択される、請求項２に記載の医薬組成物。
【手続補正書】
【提出日】平成20年12月1日(2008.12.1)
【手続補正１】
【補正対象書類名】明細書
【補正対象項目名】００４５
【補正方法】変更
【補正の内容】
【００４５】
発現タンパク質の精製
発現したＤＥＦ５（１−９４）またはＤＥＦ５（１−９４）断片、例えばＤＥＦ５（２０−９４）、ＤＥＦ５（２３−９４）、ＤＥＦ５（２９−９４）、ＤＥＦ５（５６−９４）、ＤＥＦ５（６０−９４）、ＤＥＦ５（６３−９４）、ＤＥＦ５（３４−５５）またはＤＥＦ５（７６−８７）を、当業者に公知の様々な方法の何れかを用いて、発現後に精製または単離することができる。適当な技術は、ＤＥＦ５（１−９４）またはＤＥＦ５（１−９４）断片の発現方法に依存して変化し得る。ポリペプチドは、例えば、分泌タンパク質の形態で培養培地から、または宿主細胞溶解物から回収され得る。細胞は、様々な物理的または化学的手段、例えば凍結融解サイクル、ソニケーション、機械的破壊により、または細胞溶解剤の使用により破壊され得るが、一方、膜結合ポリペプチドを、適する界面活性剤溶液（例えば、トライトン−Ｘ１００）を用いて、または酵素的切断により膜から放出し得る。ポリペプチド精製または単離に適当な技術はまた、他の要素が試料中に存在することに依存して変わり得る。精製の必要な程度も、ＤＥＦ５（１−９４）またはその断片の使用に依存して異なり得る。単離または精製により除去される汚染物質要素は、典型的に、ポリペプチドの診断または治療的使用を妨げ得る物質であり、酵素、ホルモン、および他の溶質を含み得る。選択した精製工程（複数可）は、例えば、用いる作製方法および作製した特定のＤＥＦ５（１−９４）またはＤＥＦ５（１−９４）断片の性質に依存して変わり得る。
【手続補正２】
【補正対象書類名】明細書
【補正対象項目名】００７３
【補正方法】変更
【補正の内容】
【００７３】
本発明の別の局面は、診断するために対象から採取された生物学的試料におけるＤＥＦ５（１−９４）またはその断片のレベルを検出すること（ここで、変化したレベルは、鉄バランスまたは鉄輸送と関係する疾患または状態を示す。）を含む、鉄バランスまたは鉄輸送と関係する疾患または状態の予後診断または診断のための方法を提供する。本発明の１つの態様は、（ｉ）第一の値を提供するため、対象から得られた生物学的試料におけるＤＥＦ５（１−９４）またはその断片のレベルを検出する工程；および、（ｉｉ）第一の値を、疾患または状態を有しない患者からのＤＥＦ５（１−９４）またはその断片のレベルと比較する工程（ここで、疾患を有しない対象からの試料におけるＤＥＦ５（１−９４）またはその断片のレベルと比較して、対象からの生物学的試料におけるレベルの変化は、鉄バランスまたは鉄輸送と関係する疾患または状態になりやすいか、またはそれを有する対象の指標となる。）を含む、対象における鉄バランスまたは鉄輸送と関係する疾患または状態の予後診断または診断のための方法を提供する。
【手続補正３】
【補正対象書類名】明細書
【補正対象項目名】００７５
【補正方法】変更
【補正の内容】
【００７５】
さらなる局面に従い、本発明は、ｉ）対象から得られた適する組織の試料における表１に記載の少なくとも１個の遺伝子の発現レベルを検出し、第一の値を提供すること；および、ｉｉ）第一の値を、疾患を有しない対象からの該遺伝子の発現レベルと比較すること（ここで、疾患を有しない対象からの試料と比較して、対象試料におけるより高いまたはより低い発現レベルが、鉄バランスまたは鉄輸送と関係する疾患または状態になりやすいか、またはそれを有する対象の指標となる。）を含む、鉄バランスまたは鉄輸送と関係する疾患または状態の予後診断または診断のための方法を提供する。遺伝子発現は、ｍＲＮＡまたはタンパク質レベルで検出され得る。適する組織には、肝臓、心臓、十二指腸のような腸、脾臓、骨髄が含まれるが、これらに限定されない。ｍＲＮＡ発現レベルは、何らかの適する技術、例えばマイクロアレイ分析、ノーザンブロット分析、逆転写ＰＣＲおよびリアルタイム定量的ＰＣＲにより検出され得る。同様に、タンパク質レベルは、何らかの適する技術により、例えば、タンパク質に特異的な標識したプローブを用いてウエスタンブロットにより検出することができる。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
式１
【化１】
2008523069.tif 000001
［式中、
Ｒ１はＣＨ３またはＣｌであり；
Ｒ２はＢｒ、Ｃｌ、ＩまたはＣＮであり；
Ｒ３はＨまたはＣ１〜Ｃ４アルキルであり；
Ｒ４はＣｌ、Ｂｒ、ＣＦ３、ＯＣＦ２ＨまたはＯＣＨ２ＣＦ３であり；
Ｒ５はＦ、ＣｌまたはＢｒであり；
Ｒ６はＨ、ＦまたはＣｌであり；
ＺはＣＲ７またはＮであり；そして
Ｒ７はＨ、Ｆ、ＣｌまたはＢｒである］
の化合物の製造法であって；
（１）式２
【化２】
2008523069.tif 000002
のカルボン酸化合物と、
（２）式３
【化３】
2008523069.tif 000003
のアニリン化合物と、
（３）塩化スルホニルと
を組み合わせて式１の化合物を形成せしめることを含んでなる方法。
【請求項２】
塩化スルホニルが式４
【化４】
2008523069.tif 000004
［式中、Ｒ８はＣ１〜Ｃ４アルキル、Ｃ１〜Ｃ２ハロアルキル、または場合によりハロゲン、Ｃ１〜Ｃ３アルキルおよびニトロよりなる群から選択される１〜３個の置換基によって置換されていてもよいフェニルである］
で表される請求項１に記載の方法。
【請求項３】
塩化スルホニルと組み合わせる前に、塩基を式２および３の化合物と組み合わせて混合物を形成せしめる請求項１に記載の方法。
【請求項４】
塩基が場合により置換されていてもよいピリジンから選択される請求項３に記載の方法。
【請求項５】
溶媒を式２および３の化合物ならびに塩化スルホニルと組み合わせる請求項１または３に記載の方法。
【請求項６】
溶媒がアセトニトリルである請求項５に記載の方法。
【請求項７】
式３
【化５】
2008523069.tif 000005
［式中、
Ｒ１はＣＨ３またはＣｌであり；
Ｒ２はＢｒ、Ｃｌ、ＩまたはＣＮであり；そして
Ｒ３はＨまたはＣ１〜Ｃ４アルキルである；
ただし、
（ａ）Ｒ１およびＲ２がＣｌである場合、Ｒ３はＨ、ＣＨ２ＣＨ３またはＣＨ（ＣＨ３）ＣＨ２ＣＨ３以外であり；
（ｂ）Ｒ１がＣＨ３であり、Ｒ２がＣｌ、ＢｒまたはＣＮである場合、Ｒ３はＣＨ３またはＣＨ（ＣＨ３）２以外であり；
（ｃ）Ｒ１がＣｌであり、Ｒ２がＣｌまたはＢｒである場合、Ｒ３はＣＨ３またはＣＨ（ＣＨ３）２以外であり；そして
（ｄ）Ｒ１がＣＨ３であり、Ｒ２がＣＮである場合、Ｒ３はＨ以外である］
の化合物。
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
一般式 (1):
【化１】
2008523030.tif 000001
｛式中、
X は SまたはOであり、
R1は、H, (C1-C6)アルキル, CF3, CH2CF3, OHまたはO-(C1-C6)アルキルであり、
R2 は、H, (C1-C6)アルキル, ハロゲンまたはシアノであり、
R3は、Hまたは(C1-C6)アルキルであり、
R4 は、H,任意にハロゲン原子で置換されていてもよい(C1-C6)アルキルであり、
T は、原子数が2-7の飽和もしくは不飽和炭素鎖であるが、その中の１個の炭素原子が窒素原子［これは任意に(C1-C3)アルキル, CF3またはCH2CF3 基、酸素原子または硫黄原子で置換されていてもよい］に置き換わっていてもよく、かつこの鎖は任意に(C1-C3)アルキル, (C1-C3)アルコキシ, ハロゲン, シアノ, トリフルオロメチル, OCF3, SCF3, OCHF2およびニトロから成る群から選択される１個以上の置換基で置換されていてもよく、
Ar は、基: 
【化２】
2008523030.tif 000002
から選択されるが、このAr基は、任意に、(C1-C3)アルキル, (C1-C3)アルコキシ, ハロゲン, シアノ, トリフルオロメチル, OCF3, SCF3 OCHF2 およびニトロから成る群から選択される１個以上の置換基で更に置換されていてもよく、かつこのAr基が５員環を含有する場合、その５員環の中の二重結合は飽和状態であってもよい｝
で表される化合物、またはこれらの互変異性体、立体異性体もしくはＮ−オキサイド、或いは前記式（１）で表される化合物またはこれの互変異性体、立体異性体もしくはＮ−オキサイドの薬理学的に受け入れられる塩、水和物もしくは溶媒和物。
【請求項２】
分子のフェニルピペラジン部分が: 
【化３】
2008523030.tif 000003
［式中の点は式（１）の‘T’に対する結合点を表す］
から成る群から選択され、そして
分子の２番目の部分［式（１）中の記号-T-Arで表される］が
【化４】
2008523030.tif 000004
［式中の点は式（１）で表される化合物のフェニルピペラジン部分に対する結合点を表す］
から成る群から選択される請求項１記載の式（１）で表される化合物、およびこれらの互変異性体、立体異性体およびＮ−オキサイドばかりでなく前記式（１）で表される化合物およびこれの互変異性体、立体異性体およびＮ−オキサイドの薬理学的に受け入れられる塩、水和物および溶媒和物。
【請求項３】
製薬学的に受け入れられる担体および／または少なくとも１種の製薬学的に受け入れられる補助物質に加えて請求項１記載の少なくとも１種の化合物またはこれの塩を有効成分として薬理学的に有効な量で含有して成る製薬学的組成物。
【請求項４】
請求項３記載の組成物を製造する方法であって、請求項１記載の少なくとも１種の化合物またはこれの塩を投与に適した形態にすることを特徴とする方法。
【請求項５】
薬剤として用いるための請求項１記載の化合物またはこれの塩。
【請求項６】
請求項１記載の化合物を有効成分として含んでなる、ＣＮＳ疾患治療用の製薬学的製剤。
【請求項７】
前記疾患が攻撃性、不安障害、自閉症、めまい、鬱病、認知または記憶の障害、パーキンソン病、統合失調症および他の精神異常であることを特徴とする請求項６記載の製剤。
【請求項８】
前記疾患が鬱病であることを特徴とする請求項６記載の製剤。
【請求項９】
前記疾患が統合失調症および他の精神異常であることを特徴とする請求項６記載の製剤。
【請求項１０】
前記疾患がパーキンソン病であることを特徴とする請求項６記載の製剤。
【手続補正２】
【補正対象書類名】明細書
【補正対象項目名】００２４
【補正方法】変更
【補正の内容】
【００２４】
ヒトドーパミン D2,L 受容体が線維芽細胞系のCHO-K1細胞にクローン化されており、それをDr.Grandy, Vollum Institute（ポートランド,オレゴン州,米国）から入手した。CHO細胞をDulbeccoの修飾イーグル培地(DMEM)である培養培地（熱で不活化したウシ胎仔血清を１０％、グルタミンを２ｍＭ、ピルビン酸塩を１ｍＭ、ペニシリンを５０００単位／ｍｌ、ストレプトマイシンを５０００μｇ／ｍｌおよびＧ−４１８を２００μｇ／ｍｌ補充しておいた）に入れて３７℃で93%空気/7% CO2中で増殖させた。試験化合物を用いたインキュベーションでは、２４穴プレートの中で増殖させた密集培養物を用いた。各条件または物質に試験を常規通り四重に受けさせた。細胞を0.5mlの培地／穴に入れて、それに1 mCiの[3H]-アデニンを充填した。２時間後に培養物をホスホジエスレラーゼ阻害剤であるイソブチルメチルキサンチン(IBMX)が１ｍＭ入っている０．５ｍｌのＰＢＳで洗浄した後、1mMのIBMXとホルスコリンが入っている0.5 mlのPBSと一緒に試験化合物の有り無しで２０分間インキュベートした。吸引後に５％（重量／体積）のトリクロロ酢酸を１ｍｌ用いて反応を停止させた。細胞抽出液に入っている生じた[3H]-ATPおよび[3H]-cAMPをSolomonY, Landos C, Rodbell M, 1974, A highly selective adenylyl cyclase assay, Anal Biochem58:541-548およびWeiss S, Sebben M, Biokaert JJ, 1985, Corticotropin-peptideregulation of intracellular cyclic AMP production in cortical neurons inprimary culture, J Neurochem 45:869-874に記述されているようにして検定した。0.8 mlの抽出液をDowex(50WX-4 200-400 メッシュ)および酸化アルミニウムカラムの上に置き、水そして0.1Mのイミダゾール(pH=7.5)で溶離させた。溶離液を7 mlのInsta-gelと混合した後、液体シンチレーションカウンターを用いて放射能の計数を実施した。[3H]-ATPから [3H]-cAMPへの変換をcAMPとATPの両方の画分に入っている一緒にした放射能と比較し
た時のcAMPの画分に入っている放射能の比率（パーセントで表す）として表し、そして自然発生的活性を補正する目的で基本的活性を差し引いた。
【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
式Ｉ
【化１】
2008523045.tif 000001
［式中、Ｒｐは、水素、（Ｃ１〜Ｃ６）アルキル、またはベンジルであり、
Ｒは、水素、（Ｃ１〜Ｃ６）アルキル、（Ｃ２〜Ｃ６）アルケニル、（Ｃ２〜Ｃ６）アルキニル、ヒドロキシ、アミノ、ハロ、シアノ、アリール（前記アリールは、フェニルおよびナフチルから選択される）、ヘテロアリール（前記ヘテロアリールは、酸素、窒素およびイオウから選択される１〜４個のヘテロ原子を含む５〜７員までの芳香環から選択される）、−ＳＯｑ（Ｃ１〜Ｃ６）アルキルまたは−ＳＯｑ（Ｃ１〜Ｃ６）アリール（式中、ｑは、０、１または２である）、（Ｃ１〜Ｃ６）アルキルアミノ−、［（Ｃ１〜Ｃ６）アルキル］２アミノ−、−ＣＯ２Ｒ１、−ＣＯＮＲ２Ｒ３、−ＳＯ２ＮＲ４Ｒ５、−Ｃ（＝Ｏ）Ｒ６、−ＸＣ（＝Ｏ）Ｒ６（式中、Ｘは、（Ｃ１〜Ｃ６）アルキレンである）、アリール−（Ｃ０〜Ｃ３）アルキル−またはアリール−（Ｃ０〜Ｃ３）アルキル−Ｏ−、ヘテロアリール−（Ｃ０〜Ｃ３）アルキル−またはヘテロアリール−（Ｃ０〜Ｃ３）アルキル−Ｏ−、およびＸ２（Ｃ０〜Ｃ６）アルコキシ−（Ｃ０〜Ｃ６）アルキル−（式中、Ｘ２は、不在であり、あるいはＸ２は、（Ｃ１〜Ｃ６）アルキルアミノ−または［（Ｃ１〜Ｃ６）アルキル］２アミノ−である）であり、前記Ｘ２（Ｃ０〜Ｃ６）アルコキシ−（Ｃ０〜Ｃ６）アルキル−の（Ｃ０〜Ｃ６）アルコキシ−（Ｃ０〜Ｃ６）アルキル−部分は、少なくとも１個の炭素原子を含み、前記（Ｃ０〜Ｃ６）アルコキシ−（Ｃ０〜Ｃ６）アルキル−部分の１〜３個の炭素原子は、酸素、窒素またはイオウ原子と置換されていてもよく、ただし、任意の２個のかかるヘテロ原子は、少なくとも２個の炭素原子で隔てられていなければならず、前記（Ｃ０〜Ｃ６）アルコキシ−（Ｃ０〜Ｃ６）アルキル−のアルキル部分のいずれも、２〜７個のフッ素原子で置換されていてもよく、前記アリール−（Ｃ０〜Ｃ３）アルキル−および前記ヘテロアリール−（Ｃ０〜Ｃ３）アルキル−のそれぞれのアルキル部分の炭素原子のうちの１つは、酸素、窒素またはイオウ原子と置換されていてもよく、前述のアルケニル、アルキニルアリールおよびヘテロアリール基はそれぞれ、１〜７個のフッ素原子で置換されていてもよい（Ｃ１〜Ｃ６）アルキル、２〜７個のフッ素原子で置換されていてもよい（Ｃ１〜Ｃ６）アルコキシ、ハロ、（Ｃ２〜Ｃ６）アルケニル、（Ｃ２〜Ｃ６）アルキニル、ヒドロキシ、ニトロ、シアノ、アミノ、（Ｃ１〜Ｃ６）アルキルアミノ−、［（Ｃ１〜Ｃ６）アルキル］２アミノ−、−ＣＯ２Ｒ１、−ＣＯＮＲ２Ｒ３、−ＳＯ２ＮＲ４Ｒ５、−Ｃ（＝Ｏ）Ｒ６および−ＸＣ（＝Ｏ）Ｒ６からそれぞれ独立に選択された１個または複数の置換基で置換されていてもよく、
各Ｒ１、Ｒ２、Ｒ３、Ｒ４、Ｒ５およびＲ６は、水素および（Ｃ１〜Ｃ６）アルキルからそれぞれ独立に選択され、あるいはＲ２およびＲ３、またはＲ４およびＲ５は、それらが結合している窒素と一緒に、ピロリジン、ピペリジン、モルホリン、アゼチジン、ピペリジン、−Ｎ−（Ｃ１〜Ｃ６）アルキルピペリジンまたはチオモルホリン環、あるいは環イオウがスルホキシドもしくはスルホンで置換されているチオモルホリン環を形成し、
各Ｘは、それぞれ独立に、（Ｃ１〜Ｃ６）アルキレンであり、
ｎは、０〜２の整数である］
を有する化合物、または前記化合物の薬学的に許容できる塩。
【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
水を少なくとも60容量％含有する水性溶媒で溶媒和されたデシタビン及びシクロデキストリン化合物を含む医薬組成物。
【請求項２】
前記医薬組成物が、良性腫瘍、癌、血液疾患、アテローム性動脈硬化、手術、異常な創傷治癒、異常な血管形成を原因とする人体組織への損傷、組織に繊維症をもたらす疾病、反復運動障害、血管がほとんど新生されない組織の疾患、臓器移植に関連する増殖反応からなる群から選択される疾病を治療するためのものである、請求項１記載の医薬組成物。
【請求項３】
前記医薬組成物が、骨髄異形成症候群、白血病、悪性腫瘍及び鎌状赤血球貧血からなる群から選択される疾病を治療するためのものである、請求項１記載の医薬組成物。
【請求項４】
前記シクロデキストリン化合物が、β-シクロデキストリンスルホブチルエーテル７ナトリウム塩又はCAPTISOLである、請求項１記載の医薬組成物。
【請求項５】
前記デシタビン：前記シクロデキストリン化合物の質量比が１：1〜１：5000の範囲である、請求項１記載の医薬組成物。
【請求項６】
デシタビンとシクロデキストリン化合物とを、少なくとも60容量％の水を含有する水性溶媒中に溶解させることを含む方法によって調製されるデシタビン医薬製剤。
【請求項７】
デシタビンを必要とするホストにデシタビンを投与するための、請求項１記載の医薬組成物を収容してなる無菌容器。
【請求項８】
デシタビンを必要とするホストにデシタビンを投与するためのキットであって、固体状のデシタビンと、シクロデキストリン化合物及び少なくとも60容量％の水を含有する水性希釈剤とを収容するキット。  
【請求項９】
デシタビンを必要とするホストにデシタビンを投与するためのキットであって、
デシタビンとシクロデキストリン化合物とを収容する第１の容器と、
少なくとも60％の水を含有する水性希釈剤を収容する第２の容器とを有するキット。
【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
免疫賦活性オリゴヌクレオチドと組み合わせて、少なくとも１種のＴＬＲ８介在性生物活性を誘導することが可能である量のＴＬＲ８アゴニスト；および
ＴＬＲ８アゴニストが少なくとも１種のＴＬＲ８介在性生物活性を誘導する程度を増大させるのに有効な量の免疫賦活性オリゴヌクレオチド
を含む免疫賦活用合剤であって、
ＴＬＲ８アゴニストが、置換されたイミダゾキノリンアミン、テトラヒドロイミダゾキノリンアミン、イミダゾピリジンアミン、１，２−架橋イミダゾキノリンアミン、６，７−縮合シクロアルキルイミダゾピリジンアミン、イミダゾナフチリジンアミン、テトラヒドロイミダゾナフチリジンアミン、オキサゾロキノリンアミン、チアゾロキノリンアミン、オキサゾロピリジンアミン、チアゾロピリジンアミン、オキサゾロナフチリジンアミン、チアゾロナフチリジンアミン、ピラゾロピリジンアミン、ピラゾロキノリンアミン、テトラヒドロピラゾロキノリンアミン、ピラゾロナフチリジンアミン、またはテトラヒドロピラゾロナフチリジンアミンを含む、前記免疫賦活用合剤。
【請求項２】
免疫賦活性オリゴヌクレオチドが、ＣｐＧオリゴジヌクレオチドを含む、請求項１に記載の免疫賦活用合剤。
【請求項３】
免疫賦活性オリゴヌクレオチドと組み合わせて、少なくとも１種のＴＬＲ８介在性生物活性を誘導することが可能である量のＴＬＲ８アゴニスト；および
ＴＬＲ８アゴニストが少なくとも１種のＴＬＲ８介在性生物活性を誘導する程度を増大させるのに有効な量の免疫賦活性オリゴヌクレオチド
を含む免疫賦活用合剤であって、
免疫賦活性オリゴヌクレオチドが、ＣｐＧオリゴヌクレオチド以外のオリゴヌクレオチドを含む、前記免疫賦活用合剤。
【請求項４】
ＴＬＲ８アゴニストが、イミダゾキノリンアミン、テトラヒドロイミダゾキノリンアミン、イミダゾピリジンアミン、１，２−架橋イミダゾキノリンアミン、６，７−縮合シクロアルキルイミダゾピリジンアミン、イミダゾナフチリジンアミン、テトラヒドロイミダゾナフチリジンアミン、オキサゾロキノリンアミン、チアゾロキノリンアミン、オキサゾロピリジンアミン、チアゾロピリジンアミン、オキサゾロナフチリジンアミン、チアゾロナフチリジンアミン、ピラゾロピリジンアミン、ピラゾロキノリンアミン、テトラヒドロピラゾロキノリンアミン、ピラゾロナフチリジンアミン、またはテトラヒドロピラゾロナフチリジンアミンを含む、請求項３に記載の免疫賦活用合剤。
【請求項５】
免疫賦活性オリゴヌクレオチドと組み合わせて、少なくとも１種のＴＬＲ８介在性生物活性を誘導することが可能である量のＴＬＲ８アゴニスト；および
ＴＬＲ８アゴニストによって誘導される少なくとも１種のＴＬＲ８介在性生物活性の相乗作用的な増大を提供するのに有効な量の免疫賦活性オリゴヌクレオチド
を含む、前記免疫賦活用合剤。
【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
未処理では85パーセント未満の発芽率を有する種地の品質を改良するための方法であって、ストロビルリン系殺菌剤を単独、または少なくも１種の追加の殺菌剤との組み合わせにより該種地中の種子を処理することを含んで成る方法。
【請求項２】
前記ストロビルリン系殺菌剤が単独で適用される、請求項１に記載の方法。
【請求項３】
前記ストロビルリン系殺菌剤がアゾキシストロビン、フルオキサストロビン、ピコキシストロビン、クレソキシム-メチル、及びトリフロキシストロビンから成る群から選定される、請求項２に記載の方法。
【請求項４】
前記ストロビルリン系殺菌剤がアゾキシストロビンである、請求項３に記載の方法。
【請求項５】
前記ストロビルリン系殺菌剤が少なくとも１種の追加の殺菌剤との組み合わせで適用される、請求項１に記載の方法。
【請求項６】
前記ストロビルリン系殺菌剤がアゾキシストロビン、フルオキサストロビン、ピコキシストロビン、及びトリフロキシストロビンから成る群から選定される、請求項５に記載の方法。
【請求項７】
前記ストロビルリン系殺菌剤がアゾキシストロビンである、請求項６に記載の方法。
【請求項８】
前記少なくとも１種の追加の殺菌剤がフェニルピロール系殺菌剤及びフェニルアミド系殺菌剤である、請求項７に記載の方法。
【請求項９】
前記フェニルピロール系殺菌剤がフルジオキソニル及びフェンピコニル(fenpiconyl)から成る群から選定される、請求項８に記載の方法。
【請求項１０】
前記フェニルアミド系殺菌剤がベナラキシル、ベナラキシル-M、メタラキシル、メタラキシル-Mから成る群から選定される、請求項８に記載の方法。
【請求項１１】
前記フェニルピロール系殺菌剤がフルジオキソニルであり、及び前記フェニルアミド系殺菌剤がメタラキシル-Mである、請求項７に記載の方法。
【請求項１２】
前記種地の健康状態および品質が、処理後に80〜85パーセントの発芽率を有するまで改良される、請求項１に記載の方法。
【請求項１３】
前記発芽率が83〜85パーセントである、請求項１２に記載の方法。
【請求項１４】
前記発芽率が84〜85パーセントである、請求項１３に記載の方法。
【請求項１５】
前記種地の健康状態及び品質が、処理後に80〜85パーセントの発芽率を有するまで改良される、請求項１１に記載の方法。
【請求項１６】
ストロビルリン系殺菌剤を単独、または少なくとも１種の追加の殺菌剤との組み合わせにより種子を処理することを含んで成る、種子の保存期間を改良するための方法。
【請求項１７】
前記ストロビルリン系殺菌剤が単独で適用される、請求項１６に記載の方法。
【請求項１８】
前記ストロビルリン系殺菌剤がアゾキシストロビン、フルオキサストロビン、ピコキシストロビン、クレソキシム-メチル、及びトリフロキシストロビンから成る群から選定される、請求項１７に記載の方法。
【請求項１９】
前記ストロビルリン系殺菌剤がアゾキシストロビンである、請求項１８に記載の方法。
【請求項２０】
前記少なくとも１種の追加の殺菌剤がフェニルピロール系殺菌剤及びフェニルアミド系殺菌剤である、請求項１８に記載の方法。
【請求項２１】
前記フェニルピロール系殺菌剤がフルジオキソニルである、請求項１９に記載の方法。
【請求項２２】
前記フェニルアミド系殺菌剤がメタラキシル-Mである、請求項２０に記載の方法。
【請求項２３】
前記フェニルピロール系殺菌剤がフルジオキソニルであり、及び前記フェニルアミド系殺菌剤がメフェノキサムである、請求項２０に記載の方法。
【請求項２４】
前記種子がトウモロコシであり、且つ保存期間が48ヶ月までである、請求項１６に記載の方法。
【請求項２５】
前記保存期間が36ヶ月までである、請求項２４に記載の方法。
【請求項２６】
前記保存期間が30ヶ月までである、請求項２５に記載の方法。
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
オキシトシン受容体アンタゴニストを有効成分として含んでなる、細胞、組織、器官もしくは動物内のオキシトシン受容体活性関連障害の処置用製薬学的製剤。
【請求項２】
オキシトシン受容体アンタゴニストがオキシトシン受容体モノクローナル抗体またはそのフラグメントである、請求項１記載の製薬学的製剤。
【請求項３】
抗体フラグメントが、Ｆａｂ、Ｆａｂ’、もしくはＦ（ａｂ’）２フラグメントまたはその誘導体である、請求項２に記載の製薬学的製剤。
【請求項４】
動物が哺乳動物である、請求項２に記載の製薬学的製剤。
【請求項５】
モノクローナル抗体が、非経口、皮下、筋肉内、静脈内、関節内、気管支内、腹腔内、皮膜内、軟骨内、腔内、腹内、小脳内、脳室内、結腸内、頸管内、胃内、肝内、心筋内、開口内、骨盤内、心膜内、腹膜内、胸膜内、前立腺内、肺内、直腸内、腎内、網膜内、髄腔内、滑液嚢内、胸郭内、子宮内、膀胱内、病巣内、ボーラス、膣、直腸、口内、舌下、鼻内、および経皮から選択される少なくとも１種の様式により投薬される形態にある、請求項４に記載の製薬学的製剤。
【請求項６】
モノクローナル抗体が静脈内に投薬される形態にある、請求項５に記載の製薬学的製剤。
【請求項７】
モノクローナル抗体が、該哺乳動物の体重ｋｇあたりに、約０．０５ｍｇ〜約１２．０ｍｇの量で投薬される形態にある、請求項５に記載の製薬学的製剤。
【請求項８】
哺乳動物がヒト患者である、請求項５に記載の製薬学的製剤。
【請求項９】
モノクローナル抗体が該抗体のボーラス投与で、次いで輸液により投薬される形態にある、請求項２に記載の製薬学的製剤。
【請求項１０】
オキシトシン受容体活性関連障害が炎症性障害である、請求項１に記載の製薬学的製剤。
【請求項１１】
オキシトシン受容体活性関連障害が肺関連障害である、請求項１に記載の製薬学的製剤。
【請求項１２】
オキシトシン受容体活性関連障害が、喘息、肺気腫、および慢性閉塞性肺疾患（ＣＯＰＤ）からなる群から選択される、請求項１に記載の製薬学的製剤。
【請求項１３】
オキシトシン受容体アンタゴニストが、小分子、ポリヌクレオチド、およびポリペプチドからなる群から選択される、請求項１に記載の製薬学的製剤。
【請求項１４】
オキシトシン受容体アンタゴニストが、ｓｉＲＮＡ、ｓｈＲＮＡ、およびＤＮＡザイム分子からなる群から選択される、請求項１３に記載の製薬学的製剤。
【請求項１５】
オキシトシン受容体アンタゴニストを有効成分として含んでなる、細胞、組織、器官もしくは動物内のオキシトシン受容体活性関連障害の診断用キット。
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
少なくとも２つの異なる標的と特異的に反応する多特異的アンタゴニストであって、該標的が、（Ａ）先天的免疫系の炎症促進性エフェクターと、（Ｂ）凝固因子と、（Ｃ）補体因子および補体調節タンパク質と、（Ｄ）炎症性障害または免疫調節不全障害と特異的に関連する標的、または病的血管新生もしくはがんと特異的に関連する標的とからなる群より選択され、後者の標的（Ｄ）が標的（Ａ）でも、標的（Ｂ）でも、標的（Ｃ）でもなく、
（ｉ）前記標的の少なくとも１つが（Ａ）、（Ｂ）または（Ｃ）であり、
（ｉｉ）前記多特異的アンタゴニストが、単一の多特異的抗体を含む場合は、ＣＤ７４が前記アンタゴニストの標的として排除され、そして
（ｉｉｉ）前記多特異的アンタゴニストが、別個の抗体の組み合わせを含む場合、前記抗体の１つがＢ細胞抗原を標的化し、かつもう一方の抗体がＴ細胞、形質細胞、マクロファージまたは炎症性サイトカインを標的化する組み合わせが排除され、前記抗体の１つがＣＤ２０を標的化し、かつもう一方の抗体がＣ３ｂまたはＣＤ４０を標的化する組み合わせも排除される、多特異的アンタゴニスト。
【請求項２】
２つの別個の抗体の組み合わせである、請求項１に記載の多特異的アンタゴニスト。
【請求項３】
多特異的抗体である、請求項１に記載の多特異的アンタゴニスト。
【請求項４】
融合タンパク質である、請求項１に記載の多特異的アンタゴニスト。
【請求項５】
前記２つの異なる標的の１つが標的（Ｄ）である、請求項１に記載の多特異的アンタゴニスト。
【請求項６】
前記アンタゴニストが、少なくとも１つの炎症促進性エフェクターサイトカインまたは炎症促進性エフェクターケモカインと特異的に反応する、請求項１に記載の多特異的アンタゴニスト。
【請求項７】
前記アンタゴニストが炎症促進性エフェクターレセプターを含むか、少なくとも１つの炎症促進性エフェクターレセプターと特異的に反応する、請求項１に記載の多特異的アンタゴニスト。
【請求項８】
前記アンタゴニストが、少なくとも１つの凝固因子と特異的に反応する、請求項１に記載の多特異的アンタゴニスト。
【請求項９】
前記アンタゴニストが、少なくとも１つの補体因子または少なくとも１つの補体調節タンパク質と特異的に反応する、請求項１に記載の多特異的アンタゴニスト。
【請求項１０】
適応的免疫系の抗原またはレセプターを標的化する、請求項１に記載の多特異的アンタゴニスト。
【請求項１１】
がん細胞レセプターまたはがん関連抗原を標的化する、請求項１に記載の多特異的アンタゴニスト。
【請求項１２】
前記アンタゴニストが、単一の活性成分を含む、請求項１に記載の多特異的アンタゴニスト。
【請求項１３】
先天的免疫系の成分または適応免疫系の成分に作用する二次的な治療剤をさらに含む、請求項１に記載の多特異的アンタゴニスト。
【請求項１４】
少なくとも２つの異なる標的と特異的に反応する多特異的アンタゴニストの使用であって、前記標的が、（Ａ）先天的免疫系の炎症促進性エフェクターと、（Ｂ）凝固因子と、（Ｃ）補体因子および補体調節タンパク質と、（Ｄ）炎症性障害または免疫調節不全障害と特異的に関連する標的、または病的血管新生もしくはがんと特異的に関連する標的とからなる群から選択され、前記後者の標的（Ｄ）が標的（Ａ）でも、標的（Ｂ）でも、標的（Ｃ）でもなく、
（ｉ）前記標的の少なくとも１つが（Ａ）、（Ｂ）または（Ｃ）であり、
（ｉｉ）前記多特異的アンタゴニストが、単一の多特異的抗体を含む場合は、ＣＤ７４が前記アンタゴニストの標的として排除され、そして
（ｉｉｉ）前記多特異的アンタゴニストが、別個の抗体の組み合わせを含む場合、前記抗体の１つがＢ細胞抗原を標的化し、かつもう一方の抗体がＴ細胞、形質細胞、マクロファージまたは炎症性サイトカインを標的化する組み合わせが排除され、前記抗体の１つがＣＤ２０を標的化し、かつもう一方の抗体がＣ３ｂまたはＣＤ４０を標的化する組み合わせも排除され、
炎症性または免疫調節不全障害、病的血管新生もしくはがん、および感染性疾患である状態の治療のための医薬であって、前記医薬が前記多特異的アンタゴニストの治療上有効な量を含む医薬の製造における使用。
【請求項１５】
前記状態が自己免疫疾患ではない、請求項１４に記載の使用。
【請求項１６】
前記状態が自己免疫疾患である、請求項１４に記載の使用。
【請求項１７】
前記状態がクラスＩＩＩ自己免疫疾患である、請求項１４に記載の使用。
【請求項１８】
前記状態が、敗血症または敗血性ショック、感染性疾患、神経障害、移植片対宿主病または移植片拒絶、急性呼吸窮迫症候群、肉芽腫性疾患、喘息、アテローム性動脈硬化症、悪液質、病的血管新生、がん、血液凝固障害、座瘡、巨細胞性動脈炎または心筋虚血である、請求項１４に記載の使用。
【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
酵素基質を含む次の式（ＩＩＩ）の光学イメージング用造影剤。
（Ｒ−Ｌ）r−Ｑ−Ｅn              （ＩＩＩ）
式中、Ｑは還元型の蛍光色素であって、活性化白血球によって生成するオキシダントと当該造影剤との反応によってインビボでの蛍光特性が変化する蛍光色素を表し、
Ｅは酵素基質を表し、
ｎは１〜３の整数を表し、
Ｒは親水基を表し、
Ｌはリンカーを表し、
ｒは０〜４の整数である。
【請求項２】
酵素反応に加えてオキシダントとの反応による蛍光特性の変化を含むインビボでの二段階機構で活性化される、請求項１記載の光学イメージング用造影剤。
【請求項３】
Ｅが、ペプチダーゼ、プロテアーゼ、ホスファターゼ、スルファターゼ、グルコシダーゼ、エステラーゼ、デヒドロゲナーゼ、オキシダーゼ、レダクターゼ、キナーゼ、トランスフェラーゼ及びリガーゼからなる群から選択される酵素に対する基質である、請求項１又は請求項２記載の光学イメージング用造影剤。
【請求項４】
インビボ光学イメージングによって組織中の活性化白血球を検出する方法であって、
ｉ）請求項１乃至請求項３のいずれか１項記載の光学イメージング用造影剤を被検体に投与し、
ｉｉ）造影剤の蛍光特性の変化を検出すること
を含む方法。
【請求項５】
造影剤が請求項１に記載のものであり、Ｅが加水分解酵素の基質であり、造影剤がオキシダントとの反応前に酵素反応を受ける、請求項４記載の方法。
【請求項６】
請求項１乃至請求項３のいずれか１項記載の造影剤を、薬学的に許容される１種以上の補助剤、賦形剤又は希釈剤と共に含んでなる組成物。
【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
ＴＬＲ７アゴニスト；および
ＴＬＲ７アゴニストによって誘導される少なくとも１種のＴＬＲ７介在性生物活性を低下させるのに有効な量の免疫調節性オリゴヌクレオチド
を含む免疫調節性の合剤。
【請求項２】
免疫調節性オリゴヌクレオチドが、ＣｐＧオリゴジヌクレオチドを含む、請求項１に記載の免疫調節性の合剤。
【請求項３】
ＴＬＲ７アゴニストが、イミダゾキノリンアミン、テトラヒドロイミダゾキノリンアミン、イミダゾピリジンアミン、１，２−架橋イミダゾキノリンアミン、６，７−縮合シクロアルキルイミダゾピリジンアミン、イミダゾナフチリジンアミン、テトラヒドロイミダゾナフチリジンアミン、オキサゾロキノリンアミン、チアゾロキノリンアミン、オキサゾロピリジンアミン、チアゾロピリジンアミン、オキサゾロナフチリジンアミン、またはチアゾロナフチリジンアミンを含む、請求項１に記載の免疫調節性の合剤。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
ガンを処置するための医薬であって、該医薬が、該ガンを処置するための有効量のＨＥＲ阻害剤を含み、該患者由来の腫瘍試料が、二つ以上のレセプターＨＥＲと一つ以上のＨＥＲリガンドとを発現している医薬。
【請求項２】
レセプターＨＥＲが、ＥＧＦＲ、ＨＥＲ２、およびＨＥＲ３からなる群より選択される、請求項１記載の医薬。
【請求項３】
レセプターＨＥＲがＥＧＦＲおよびＨＥＲ２である、請求項２記載の医薬。
【請求項４】
レセプターＨＥＲがＨＥＲ２およびＨＥＲ３である、請求項２記載の医薬。
【請求項５】
ＨＥＲリガンドがベータセルリン、アンフィレグリン、エピレグリン、およびＴＧＦ−αからなる群より選択される、請求項１〜４のいずれか一項記載の医薬。
【請求項６】
ＨＥＲリガンドがベータセルリンである、請求項５記載の医薬。
【請求項７】
ＨＥＲリガンドがアンフィレグリンである、請求項５記載の医薬。
【請求項８】
腫瘍試料が、ＨＥＲ２と、ＥＧＦＲまたはＨＥＲ３と、ベータセルリンまたはアンフィレグリンとを発現している、請求項１〜７のいずれか一項記載の医薬。
【請求項９】
腫瘍試料が、ＨＥＲ２およびＥＧＦＲならびにベータセルリンを発現している、請求項８記載の医薬。
【請求項１０】
ＨＥＲ阻害剤がＨＥＲ二量体化阻害剤である、請求項１〜９のいずれか一項記載の医薬。
【請求項１１】
ＨＥＲ阻害剤がＨＥＲ抗体である、請求項１〜１０のいずれか一項記載の医薬。
【請求項１２】
ＨＥＲ抗体がＨＥＲ２抗体である、請求項１１記載の医薬。
【請求項１３】
ＨＥＲ２抗体がＨＥＲ２細胞外ドメインのドメインＩＩに結合する、請求項１２記載の医薬。
【請求項１４】
ＨＥＲ２抗体がパーツズマブである、請求項１３記載の医薬。
【請求項１５】
ＨＥＲ抗体がネイキッドな抗体である、請求項１１〜１４のいずれか一項記載の医薬。
【請求項１６】
ＨＥＲ抗体がインタクトな抗体である、請求項１１〜１５のいずれか一項記載の医薬。
【請求項１７】
ＨＥＲ２抗体が、抗原結合領域を含む抗体フラグメントである、請求項１１〜１５のいずれか一項記載の医薬。
【請求項１８】
発現が、レセプターＨＥＲまたはＨＥＲリガンドをコードしているｍＲＮＡを定量することにより決定される、請求項１記載の医薬。
【請求項１９】
ｍＲＮＡがポリメラーゼ連鎖反応（ＰＣＲ）を使用して定量される、請求項１８記載の医薬。
【請求項２０】
ＰＣＲが定量リアルタイムＰＣＲ（ｑＲＴ−ＰＣＲ）である、請求項１９記載の医薬。
【請求項２１】
腫瘍試料が固定腫瘍試料である、請求項１〜２０のいずれか一項記載の医薬。
【請求項２２】
腫瘍試料が、ホルマリン固定パラフィン包埋（ＦＦＰＥ）腫瘍試料である、請求項２１記載の医薬。
【請求項２３】
腫瘍試料が凍結腫瘍試料である、請求項１〜２０のいずれか一項記載の医薬。
【請求項２４】
レセプターＨＥＲおよびＨＥＲリガンドの発現が中央値以上である、請求項１〜２３のいずれか一項記載の医薬。
【請求項２５】
ガンが、卵巣ガン、腹膜ガン、または卵管ガンである、請求項１〜２４のいずれか一項記載の医薬。
【請求項２６】
ガンが転移性乳ガン（ＭＢＣ）である、請求項１〜２４のいずれか一項記載の医薬。
【請求項２７】
ガンが、非小細胞肺ガン（ＮＳＣＬＣ）である、請求項１〜２４のいずれか一項記載の医薬。
【請求項２８】
化学療法剤をさらに含む、請求項１〜２７のいずれか一項記載の医薬。
【請求項２９】
化学療法剤が代謝拮抗化学療法剤である、請求項２８記載の医薬。
【請求項３０】
代謝拮抗化学療法剤がゲムシタビンである、請求項２９記載の医薬。
【請求項３１】
ガンを処置するための医薬であって、該医薬が、該ガンを処置するための有効量のＨＥＲ阻害剤を含み、該患者由来の腫瘍試料がベータセルリンまたはアンフィレグリンを発現している医薬。
【請求項３２】
ＨＥＲ阻害剤が、ＨＥＲ２とＥＧＦＲまたはＨＥＲ３とのヘテロ二量体化を阻害する、請求項３１記載の医薬。
【請求項３３】
ガンを処置するための医薬であって、該医薬が、該ガンを処置するための有効量の、ＨＥＲ２のドメインＩＩに結合するＨＥＲ２抗体を含み、該患者由来の腫瘍試料が、ＨＥＲ２と、ＥＧＦＲまたはＨＥＲ３と、ベータセルリンまたはアンフィレグリンとを発現している医薬。
【請求項３４】
ＨＥＲ２のドメインＩ、ＩＩ、およびＩＩＩの間の結合部に結合する、請求項３３記載の医薬。
【請求項３５】
生物学的試料中のＨＥＲのリン酸化または活性化を評定する方法であって、該方法が、該試料中の二つ以上のレセプターＨＥＲと一つ以上のＨＥＲリガンドとの発現を決定することを含み、該二つ以上のレセプターＨＥＲと一つ以上のＨＥＲリガンドとの発現が、該試料中のＨＥＲのリン酸化または活性化を示す方法。
【請求項３６】
試料がパラフィン包埋ホルマリン固定腫瘍試料である、請求項３５記載の方法。
【請求項３７】
生物学的試料中のＨＥＲのリン酸化または活性化を評定する方法であって、該方法が、該試料中のベータセルリンまたはアンフィレグリンの発現を決定することを含み、ベータセルリンまたはアンフィレグリンの発現が、該試料中のＨＥＲのリン酸化または活性化を示す方法。
【請求項３８】
ＨＥＲ二量体化阻害剤を用いた治療のための患者を同定するためのデータを与える方法であって、該方法が、該患者由来の試料中の二つ以上のレセプターＨＥＲと一つ以上のＨＥＲリガンドとの発現を決定することを含み、該レセプターＨＥＲおよびＨＥＲリガンドの発現が、該患者が該ＨＥＲ二量体化阻害剤を用いた治療に応答する見込みのあることを示す方法。
【請求項３９】
患者がガン患者である、請求項３８記載の方法。
【請求項４０】
卵巣ガンを処置するための医薬であって、該医薬が、該卵巣ガンを処置するための有効量のＨＥＲ阻害剤を含み、該患者由来の腫瘍試料がベータセルリンまたはアンフィレグリンを発現している医薬。
【請求項４１】
腫瘍試料が二つ以上のレセプターＨＥＲをさらに発現している、請求項４０記載の医薬。
【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
導管に沿って間隔を開けた位置で前記導管を取り囲んで前記導管に搭載されるようになされた導磁材料の第１および第２のコア要素と、処理されるべき流体内に前記導管に沿って間隔を開けた位置から延びるそれぞれの電磁場を発生させるために、前記コア要素内に無線周波数磁束を形成するための手段とを備える、導管内の流体を処理するための装置。
【請求項２】
前記コア要素内に無線周波数磁束を形成するための前記手段が、前記コア要素が内部を通過するそれぞれのコイルを備え、前記コイルが無線周波数電気信号によって付勢される、請求項１に記載の装置。
【請求項３】
前記電気信号が矩形または正弦波形である、請求項２に記載の装置。
【請求項４】
前記コア要素がフェライト材料のものである、前記請求項のいずれか一項に記載の装置。
【請求項５】
前記コア要素が、前記導管に前記導管の側面から前記コア要素を適用できるように、閉じたリング形態から開くことができる、前記請求項のいずれか一項に記載の装置。
【請求項６】
前記コア要素内に形成される前記信号の周波数が互いに同じである、前記請求項のいずれか一項に記載の装置。
【請求項７】
前記コア要素内に形成される前記信号の周波数が互いに異なる、請求項１から５のいずれか一項に記載の装置。
【請求項８】
システムの供給パイプに適用される前記請求項のいずれか一項に記載の装置。
【請求項９】
閉ループを回る水の循環用のポンプを含む、前記閉ループを形成する配管を含み、前記ループ内に前記処理装置が設けられる、請求項８に記載の装置。
【請求項１０】
前記ループが凝集した物質を取り除くためのフィルタをさらに含む、請求項９に記載の装置。
【請求項１１】
前記ループ内に２個またはそれ以上の前記処理装置を備える、請求項９から１０のいずれか一項に記載の装置。
【請求項１２】
導管を取り囲みかつ前記導管の縦方向に互いに間隔を開けた、導磁材料のコア要素を設けるステップと、前記コア要素内に無線周波数磁束を形成させ、それによって前記導管内の流体内に無線周波数フィールドを形成させるステップとを含み、前記フィールドが前記導管に沿って間隔の開いた位置で生じる、導管内を流れる流体の処理方法。
【請求項１３】
凝集した懸濁微粒子を前記流体から取り除くために、前記フィールドによる処理に引き続き、前記流体をろ過するステップをさらに含む、請求項１２に記載の処理方法。
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
水処理システムに対する酸化化合物の添加を制御する方法であって、
前記水処理システムのプロセスパラメータ値を測定するステップと、
前記プロセスパラメータ値が第１の範囲内の場合、第１の制御モードで第１の制御信号を発生するステップと、
前記プロセスパラメータ値が第２の範囲内の場合、第２の制御モードで第２の制御信号を発生するステップが含まれている、
方法。
【請求項２】
水処理システムに対する酸化化合物の添加を制御する方法であって、
前記水処理システムの第１の所望の運転条件を表わした第１の設定値を指定するステップと、
前記水処理システムの第２の所望の運転条件を表わした第２の設定値及び許容差を指定するステップと、
前記水処理システムの第１の運転パラメータに対応する第１の入力信号を発生するステップと、
前記水処理システムの第２の運転パラメータに対応する第２の入力信号を発生するステップと、
前記第２の入力信号と前記第２の設定値との差が前記許容差未満の場合、前記第１の入力信号と前記第１の設定値との差に基づいて、第１の出力信号を発生するステップと、
前記第２の入力信号と前記第２の設定値との差が前記許容差を超える場合、前記第１の入力信号と第２の設定値とに基づいて、第２の出力信号を発生するステップが含まれている、
方法。
【請求項３】
水処理システムに対する化合物の添加を制御する方法であって、
前記水処理システムの運転条件を表わした一次設定値を指定するステップと、
前記水処理システムの一次運転パラメータ及び二次運転パラメータを測定するステップと、
前記一次運転パラメータ及び前記一次設定値に基づいて第１の出力信号を発生するステップと、
第１の低運転パラメータ、第１の高運転パラメータ、第２の低運転パラメータ、及び、第２の高運転パラメータから構成されるグループから選択された少なくとも１つの条件が生じると、代替制御モードを確認するステップと、
前記代替制御モードが確認されると、前記一次運転パラメータ及び前記二次運転パラメータの少なくとも一方に基づいて、代替出力信号を発生するステップが含まれている、
方法。
【請求項４】
水処理システムであって、
前記水処理システムの運転パラメータを測定し、対応する入力信号を発生するために配置された入力装置と、
前記入力信号を受信して、分析し、前記入力信号と第１の設定値との第１の差に基づいて、第１の制御モードで第１の出力信号を発生し、前記入力信号と第２の設定値との第２の差に基づいて、第２の制御モードで第２の出力信号を発生するために配置されたコントローラと、
前記第１及び第２の出力信号を受信して、前記水処理システムに対する作用物質の添加を調節するために配置された出力装置が含まれている、
水処理システム。
【請求項５】
水処理システムであって、
水処理システムの第１のパラメータを測定して、第１の入力信号を発生するために配置された第１の測定装置と、
水処理システムの第２のパラメータを測定して、第２の入力信号を発生するために配置された第２の測定装置と、
前記第１及び第２の入力信号を受信して、分析し、前記第２の入力信号と第２の設定値との差が許容差未満の場合には、第１の出力信号を発生し、前記第２の入力信号と前記設定値との差が前記許容差を超える場合には、第２の出力信号を発生するために配置されたコントローラと、
前記第１及び第２の出力信号の少なくともいずれかを受信して、前記水処理システムに対する酸化剤の添加を調節するために配置された出力装置が含まれている、
水処理システム。
【請求項６】
水処理システムであって、
前記水処理システム内に配置されたＯＲＰセンサと、
前記水処理システム内に配置された電流測定センサと、
前記ＯＲＰセンサ及び前記電流測定センサの少なくとも一方からの信号に応答して、前記水処理システム内の水に対する酸化種の添加を制御するための手段と、
第１の低運転パラメータ、第１の高運転パラメータ、第２の低運転パラメータ、及び、第２の高運転パラメータから構成されるグループから選択された少なくとも１つの条件が生じると、前記ＯＲＰセンサ及び前記電流測定センサの少なくとも一方からの信号に応答して、代替制御モードで、前記酸化種の添加を確認して、制御するための手段が含まれている、
水処理システム。
【請求項７】
コンピュータによって実行される結果として、
水処理システムのプロセスパラメータ値が第１の範囲内にある場合、第１の制御モードで第１の制御信号を発生する段階と、
前記プロセスパラメータ値が第２の範囲内にある場合、第２の制御モードで第２の制御信号を発生する段階を含む、
前記水処理システムに対する酸化化合物の添加を制御する方法が実施されるように、前記コンピュータに命じる命令を定義する、コンピュータ可読信号が記憶されたコンピュータ可読媒体。
【請求項８】
コンピュータによって実行される結果として、
水処理システムの第１の運転パラメータを測定するために配置された第１の入力装置から第１の入力信号を受信する段階と、
前記水処理システムの第２の運転パラメータを測定するために配置された第２の入力装置から第２の入力信号を受信する段階と、
前記第２の入力信号と第２の設定値との差が許容差未満の場合、前記第１の入力信号及び第１の設定値に基づいて第１の出力信号を発生する段階と、
前記第２の入力信号と前記第２の設定値との差が許容差を超える場合、前記第１の入力信号及び前記第２の設定値に基づいて第２の出力信号を発生する段階を含む、
前記水処理システムに対する酸化化合物の添加を制御する方法が実施されるように、前記コンピュータに命じる命令を定義する、コンピュータ可読信号が記憶されたコンピュータ可読媒体。